(57)【要約】  本発明は、それぞれ２つの端子を備えた２つの電気的ゲートを有する電気的４端子網が設けられている電気回路に関する。この回路には、ゲートの端子からアースへ向かう少なくとも２つの分岐路が設けられている。分岐路中にはスイッチ素子が配置されており、このスイッチ素子により対応する端子を必要に応じてアースさせることができる。
2008508823.tif 000002
【特許請求の範囲】
【請求項１】
電気回路において、
電気的４端子網（Ｆ）と、
第１の端子（Ｔ１１）および第２の端子（Ｔ１２）を備えた第１の電気的ゲート（Ｔ１）と、
第１の端子（Ｔ２１）および第２の端子（Ｔ２２）を備えた第２の電気的ゲート（Ｔ２）と、
前記第１の電気的ゲート（Ｔ１）の第２の端子（Ｔ１２）からアースに向かう第１の分岐路が設けられており、
該第１の分岐路中に第１のスイッチ素子（Ｓ１）が配置されていることを特徴とする、
電気回路。
【請求項２】
請求項１記載の回路において、
前記第２の電気的ゲート（Ｔ２）の第２の端子（Ｔ２２）からアースへ向かう第２の分岐路が設けられており、該第２の分岐路中に第２のスイッチ素子（Ｓ２）が配置されていることを特徴とする回路。
【請求項３】
請求項１または２記載の回路において、
前記電気的４端子網（Ｆ）はフィルタであることを特徴とする回路。
【請求項４】
請求項１から３のいずれか１項記載の回路において、
前記電気的４端子網（Ｆ）はバルク音響波により動作する共振器を有することを特徴とする回路。
【請求項５】
請求項４記載の回路において、
２つの共振器（Ｒ１，Ｒ２）を有する共振器ユニットが設けられており、前記２つの共振器（Ｒ１，Ｒ２）は互いに音響的に結合されており、互いに導電的に分離されていることを特徴とする回路。
【請求項６】
請求項５記載の回路において、
前記共振器ユニットにおける共振器（Ｒ１，Ｒ２）各々は固有の信号経路（ＳＰ１，ＳＰ２）中に配置されていることを特徴とする回路。
【請求項７】
請求項５記載の回路において、
前記共振器ユニットにおける第１の共振器（Ｒ１）は、前記第１の電気的ゲート（Ｔ１）の２つの端子間に配置されており、前記共振器ユニットにおける第２の共振器（Ｒ２）は、前記第２の電気的ゲート（Ｔ２）の２つの端子間に配置されていることを特徴とする回路。
【請求項８】
請求項５から７のいずれか１項記載の回路において、
前記共振器（Ｒ１，Ｒ２）は上下に配置されていて、該共振器（Ｒ１，Ｒ２）間に配置され音響的に部分的に透過性の結合層（ＫＳ）を介して互いに音響的に結合されていることを特徴とする回路。
【請求項９】
請求項５から７のいずれか１項記載の回路において、
前記共振器（Ｒ１，Ｒ２）は互いに並置されていて、横方向の音響的結合によって互いに音響的に結合されていることを特徴とする回路。
【請求項１０】
請求項１から３のいずれか１項記載の回路において、
前記電気的４端子網（Ｆ）は音響的表面波により動作する変換器（Ｗ１，Ｗ２）を有することを特徴とする回路。
【請求項１１】
請求項１０記載の回路において、
前記２つの変換器（Ｗ１，Ｗ２）は互いに音響的に結合されており、互いに導電的に分離されていることを特徴とする回路。
【請求項１２】
請求項１１記載の回路において、
前記変換器（Ｗ１，Ｗ２）各々は固有の信号経路（ＳＰ１，ＳＰ２）中に配置されていることを特徴とする回路。
【請求項１３】
請求項１２記載の回路において、
前記変換器（Ｗ１，Ｗ２）各々は、前記第１の電気的ゲート（Ｔ１）もしくは前記第２の電気的ゲート（Ｔ２）における２つの端子間に配置されていることを特徴とする回路。
【請求項１４】
請求項１１から１３のいずれか１項記載の回路において、
前記変換器（Ｗ１，Ｗ２）は１つの音響トラック内に並べて配置されていることを特徴とする回路。
【請求項１５】
請求項１から１４のいずれか１項記載の回路において、
前記第１のスイッチ素子（Ｓ１）および／または第２のスイッチ素子（Ｓ２）はＰＩＮダイオードであることを特徴とする回路。
【請求項１６】
請求項１から１４のいずれか１項記載の回路において、
前記第１のスイッチ素子（Ｓ１）および／または第２のスイッチ素子（Ｓ２）はトランジスタであることを特徴とする回路。
【請求項１７】
請求項１から１４のいずれか１項記載の回路において、
前記第１のスイッチ素子（Ｓ１）および／または第２のスイッチ素子（Ｓ２）はマイクロマシン技術によるスイッチであることを特徴とする回路。
【請求項１８】
請求項１から１７のいずれか１項記載の回路を備えたコンポーネントにおいて、
第１のスイッチ素子（Ｓ１）または第２のスイッチ素子（Ｓ２）の接触接続のために用いられる外部端子が設けられていることを特徴とするコンポーネント。
【請求項１９】
請求項１から１８のいずれか１項記載の回路を備えたコンポーネントにおいて、
電気的４端子網（Ｆ）および第１のスイッチ素子（Ｓ１）または第２のスイッチ素子（Ｓ２）は１つの共通の基板に実装されており、または１つの共通の基板上に配置されていることを特徴とするコンポーネント。
【発明の詳細な説明】
【技術分野】
【０００１】
本発明は、電気的４端子網たとえば２つの電気的ゲートを備えたフィルタ回路を有する電気回路に関する。
【０００２】
４端子網は、１）不平衡／不平衡に結線することができ、あるいは２）平衡／平衡に結線することができる。さらに４端子網をバランとして、つまり３）不平衡／平衡に結線することもできる。
【０００３】
文献US 2001/0013815 A1により知られているデュプレクサの場合、受信経路中でバランがフィルタにおいてＤＭＳトラックにより実現されており（DMS = Double Acoustic Mode SAW, SAW = Surface Acoustic Wave）、これは直列共振器と結線されている。直列共振器はＳＡＷ共振器として構成されている。このデュプレクサにおいて使用されるフィルタ構造は、すべて１つのテクノロジー（ＳＡＷ）によって実装されている。
【０００４】
文献US 2002/0140520 A1によれば、受信経路を備えたデュプレクサが公知である。このデュプレクサには受信フィルタが配置されており、そこにおいて梯子状構造がその平衡化のため出力側でバランもしくは別の素子と接続されている。この場合、ＬＣ素子によって、あるいはＳＡＷ共振器またはＢＡＷ共振器（BAW = Bulk Acoustic Wave）を配置することによって、バランを実現することができる。それぞれ１つの固有のトラック内に配置された個々のＳＡＷ共振器もしくは互いに並置されたＢＡＷ共振器は、音響的には互いに結合されていない。
【０００５】
本発明の課題は、少なくとも２つの異なる動作モード１）、２）または３）間で切替可能な電気回路を提供することにある。
【０００６】
本発明によればこの課題は、請求項１記載の電気回路によって解決される。他の請求項には本発明の有利な実施形態が示されている。
【０００７】
本発明は、それぞれ２つの端子を備えた２つの電気的ゲートを有する電気的４端子網が設けられている電気回路に係わる。この回路には、第１のゲートにおける１つの端子からアースへ向かう少なくとも２つのシャントないしは分岐路が設けられている。分岐路中にはスイッチ素子（第１のスイッチ素子）が配置されており、このスイッチ素子により対応する端子を必要に応じてアースさせることができる。
【０００８】
１つの有利な実施形態によればこの回路は、第２のゲートにおける１つの端子からアースへ向かう第２のシャントないしは分岐路を有している。第２の分岐路中にもスイッチ素子（第２のスイッチ素子）が配置されている。
【０００９】
スイッチ素子が短絡されると、そのスイッチ素子と接続されている電気的ゲートが不平衡状態となる。スイッチ素子が開放されると、上述のゲートは平衡状態で作動される。
【００１０】
本発明の利点は、個々の電気的ゲートを平衡動作と不平衡動作とで切り替え可能なことである。たとえば制御電圧を加えたり加えなかったりすることで、スイッチ素子を持続的に短絡させておいたり開放させておいたりすることができる。第１のスイッチ素子を短絡し第２のスイッチ素子を開放すれば、本発明による電気回路によってバランを実現することができ、これによれば専用のバラン回路を省くことができる。
【００１１】
電気的４端子網はたとえばフィルタであり、有利にはバンドパスフィルタである。４端子網は、有利には音響的体積波ないしはバルク音響波によって、あるいは表面波によって動作するコンポーネント構造（たとえばＳＡＷ変換器またはＢＡＷ共振器SAW = Surface Acoustic Wave; BAW = Bulk Acoustic Wave）を有している。互いに音響的に結合されており有利には互いに導電的に分離されている複数の共振器によって、１つの共振器ユニットを形成することができる。ＳＡＷにより動作する共振器ユニットに、複数のＳＡＷ変換器をもたせることができる。
【００１２】
本発明の１つの実施形態によれば、４端子網は音響表面波により動作する変換器を有している。１つの共振器ユニットに割り当てられている複数の変換器たとえば２つの変換器は、互いに音響的に結合されており、かつ有利には互いに導電的に分離されている。有利にはこれらの変換器は、１つの音響トラックに並べて配置されている。
【００１３】
１つの共振器ユニット内に配置されているＢＡＷ共振器を、共振器スタックとして上下に配置することができ、それらの間に配置され音響的に部分的に透過性の結合層を介して互いに音響的に結合することができる。ＢＡＷ共振器を並べて配置し、横方向の音響的結合によって互いに音響的に結合することもできる。共振器ユニットは有利には２つの共振器または変換器を有する。
【００１４】
１つの実施形態によれば共振器ユニットにおける共振器各々もしくは変換器各々は、固有の信号経路中に配置されている。別の実施形態によれば、共振器各々もしくは変換器各々は１つのゲートのみに接続され、第１もしくは第２のゲートにおける２つの端子の間に配置されている。
【００１５】
第１および／または第２のスイッチ素子はたとえばＰＩＮダイオード、電界効果トランジスタ、あるいはマイクロマシン技術によるスイッチ（ＭＥＭＳ）である。
【００１６】
本発明による回路は有利には１つのコンパクトなコンポーネントとして実現されている。このコンポーネントは有利には、複数の誘電体層および／または半導体層を備えた多層基板を有している。各誘電体層の間に構造形成された金属層が配置されており、この金属層はコンポーネントの外部端子とたとえば垂直方向のスルーホール等を用いて接続されている。回路の一部分を基板中に埋め込むことができるし、もしくは金属層中に形成することができる。特に述べておくと、基板は第１または第２のスイッチ素子の駆動制御に用いる外部端子を有している。
【００１７】
電気的な４端子網ならびに第１または第２のスイッチ素子は有利には１つの基板において実現されており、あるいは１つの共通の基板上に配置されている。
【００１８】
電気回路の電気音響的構造は、有利には基板表面上に配置されている。また、ＢＡＷ構造またはＳＡＷ構造の設けられたチップを基板に取り付けることもできる。ワイヤボンディングあるいはフリップチップテクノロジーによって、このチップを基板と電気的かつ機械的に取り付けることができる。
【００１９】
１つの実施形態によれば、スイッチ素子は基板内部に実装される。別の実施形態によれば、スイッチ素子は基板表面に取り付けられる。基板は有利には、誘電体層としてセラミック層を有している。誘電体層をプラスチック材料もしくは有機材料によって形成してもよい。様々なやり方で上下に配置された誘電体層あるいは半導体層（たとえばＳｉおよびＳｉＯ2）を基板に設けることができる。
【００２０】
次に、実施例ならびに添付の図面に基づき本発明について詳しく説明する。なお、これらの図面には本発明の様々な実施例が概略的に示されており、縮尺どおりには描かれていない。同一部材あるいは同じ働きをもつ部材には同じ参照符号が付されている。
【００２１】
図１は本発明による電気回路の等価回路図である。
【００２２】
図２は共振器ユニットを備えた回路を示す図であり、この回路における互いに音響的に結合された共振器はそれぞれ固有の信号経路に配置されている。
【００２３】
図３Ａは、梯子状（ラダー状）に配置されたフィルタと共振器ユニットを備えた回路を示す図であり、この回路における互いに音響的に結合された共振器はそれぞれ固有の電気的ゲートに接続されている。
【００２４】
図３Ｂは、並置され音響的に横方向に互いに結合された共振器を備えた共振器ユニットを示す図である。
【００２５】
図３Ｃは、共振器スタックとして実現された共振器ユニットを示す図である。
【００２６】
図４Ａは、図３Ｃによる共振器ユニットを用いた回路の等価回路図である。
【００２７】
図４Ｂは、互いに音響的に結合された２つの変換器を備えＳＡＷにより動作する回路を示す図であり、これら２つの変換器は１つの共通の音響トラック内でそれぞれ固有の信号経路中に配置されている。
【００２８】
図４Ｃは、互いに音響的に結合された２つの変換器を備えＳＡＷにより動作する回路を示す図であり、これら２つの変換器は、１つの共通の音響トラック内に配置されたそれぞれ固有の信号経路に接続されている。
【００２９】
図４Ｄは、２つの音響トラックを備えＳＡＷにより動作する回路を示す図であり、これら２つの音響トラックは結合変換器を介して互いに音響的に結合されている。
【００３０】
図４Ｅは、図３Ｃによる共振器ユニットを用いた別の回路を示す図である。
【００３１】
図５Ａは、スイッチ素子として電界効果トランジスタを用いた図４Ａによる回路を示す図である。
【００３２】
図５Ｂは、ダイオードスイッチを用いた図４Ａによる回路を示す図である。
【００３３】
図６は、スイッチ素子を短絡して不平衡／不平衡状態で動作させるようにした図４Ａによる回路を示す図である。
【００３４】
図７は、短絡されたスイッチ素子と開放されたスイッチ素子により不平衡／平衡状態で動作させるようにした図４Ａによる回路を示す図である。
【００３５】
図８は、スイッチ素子を開いて平衡／平衡状態で動作させるようにした図４Ａによる回路を示す図である。
【００３６】
図１には、本発明による電気回路の等価回路図が示されている。この回路は、第１の電気的ゲートＴ１と第２の電気的ゲートＴ２を備えた電気的４端子網Ｆを有している。第１のゲートにおける第１の端子Ｔ１１と第２のゲートにおける第１の端子Ｔ２１との間に、第１の信号経路ＳＰ１が配置されている。第１のゲートにおける第２の端子Ｔ１２と第２のゲートにおける第２の端子Ｔ２２との間に、第２の信号経路ＳＰ１が配置されている。第２の信号経路ＳＰ２とアースとの間において、第１のゲートＴ１の側にシャントすなわち分岐路が配置されており、この分岐路に第１のスイッチ素子Ｓ１が配置されている。また、第２の信号経路ＳＰ２とアースとの間において第２のゲートＴ２の側にシャントないしは分岐路が配置されており、この分岐路に第２のスイッチ素子Ｓ２が配置されている。
【００３７】
４端子網Ｆは有利には音響波により動作するフィルタである。図２および図３Ａにはそれぞれ、梯子状ないしはラダー状の構造をもつＢＡＷ共振器を備えたフィルタが示されている。図２に示されているフィルタは、第１の信号経路ＳＰ１中に配置された第１の共振器Ｒ１と、第２の信号経路ＳＰ１中に配置された第２の共振器Ｒ２を有しており、これらは互いに音響的に結合されていて、これらが合わさって１つの共振器ユニットＲＥを成している。ここでは共振器Ｒ１，Ｒ２は直列共振器である。信号経路ＳＰ１と信号経路ＳＰ２との間に、それぞれ１つの並列共振器を備えたシャントすなわち分岐路が配置されている。
【００３８】
図３Ａにおけるフィルタは、第１のゲートＴ１の端子Ｔ１１と端子Ｔ１２との間に配置された第１の共振器Ｒ１と、第２のゲートＴ２の端子Ｔ２１と端子Ｔ２２との間に配置された第２の共振器Ｒ２を有している。これらの共振器Ｒ１，Ｒ２は互いに音響的に結合されており、１つの共振器ユニットＲＥを成している。ここでは共振器Ｒ１，Ｒ２は並列共振器であって、これらの共振器は信号経路ＳＰ１と信号経路ＳＰ２との間の分岐路中に配置されている。共振器ユニットは、信号経路ＳＰ１，ＳＰ２中に配置された直列共振器と結線されている。
【００３９】
図２および図３Ａにおける共振器Ｒ１，Ｒ２は、導電的には互いに接続されていない。
【００４０】
図３Ｂには、横方向に音響的に結合されている並置された２つの共振器Ｒ１，Ｒ２を備えた共振器ユニットＲＥが示されている。横方向における共振器の結合は、横方向の音響モードの励起によって可能となる。これらの共振器Ｒ１，Ｒ２の双方は、１つの共通の圧電層ＰＳ１を有している。
【００４１】
１つの実施形態によればフィルタまたはその一部分を、共振器スタックたとえば図３Ｃによる共振器スタックＲＳによって実現させることができる。共振器スタックＲＳは基板ＴＳ上に構築される。共振器スタックＲＳは、第１の共振器Ｒ１と、第２の共振器Ｒ２と、これらの間に配置され音響的に部分的に透過性の結合層ＫＳを有している。基板ＴＳと共振器スタックとの間には音響ミラーＡＳが配置されている。音響ミラーＡＳは、交互の順序で低い音響インピーダンスと高い音響インピーダンスをもつ上下に配置された複数の層を有している。これらの層の層厚を、第１の共振器Ｒ１の共振周波数における４分の１波長とすると有利である。
【００４２】
第１の共振器Ｒ１は、２つの電極層Ｅ１，Ｅ２およびこれらの間に配置された圧電層ＰＳ１によって形成されている。第２の共振器Ｒ２は、２つの電極層Ｅ３，Ｅ４およびこれらの間に配置された圧電層ＰＳ２によって形成されている。
【００４３】
ここには示されていない１つの実施形態によれば、基板ＴＳに形成された空洞を介して共振器スタックを配置することができる。
【００４４】
図４Ａには、図３Ｃによる共振器スタックＲＳとして構成されている４端子網を用いた図１による回路が示されている。
【００４５】
第１の共振器Ｒ１の下方の電極Ｅ１は、第１の電気的ゲートＴ１の第１の端子Ｔ１１と接続されている。第１の共振器Ｒ１において結合層ＫＳの側の電極Ｅ２は、第１の電気的ゲートＴ１の第２の端子Ｔ１２と接続されている。第２の共振器Ｒ２において結合層ＫＳの側の電極Ｅ３は、第２の電気的ゲートＴ２の第２の端子２２と接続されている。第２の共振器Ｒ２の上方の電極Ｅ４は、第２の電気的ゲートＴ２の第１の端子Ｔ２１と接続されている。つまり第１の共振器Ｒ１は第１のゲートＴ１に、第２の共振器Ｒ２は第２のゲートＴ２に接続されている。これらの共振器Ｒ１，Ｒ２は結合層ＫＳによって互いに導電的に分離されており、かつこの層を介して互いに音響的に結合されている。
【００４６】
スイッチ素子Ｓ１，Ｓ２が短絡されると図６に示されているような結線となり、この場合、フィルタは不平衡／不平衡状態で動作する。第１のスイッチ素子Ｓ１が短絡され第２のスイッチ素子Ｓ２が開放されると図７に示されているような結線となり、この場合、フィルタはバランとして動作する。スイッチ素子Ｓ１とスイッチ素子Ｓ２の双方が開放されると図８に示されているような結線となり、この場合、フィルタは平衡／平衡状態で動作する。
【００４７】
図４Ｂには、２つの共振器により区切られている音響トラックを備え表面波により動作するフィルタが示されている。この音響トラックには、第１の変換器Ｗ１と第２の変換器Ｗ２が配置されている。
【００４８】
これらの変換器Ｗ１，Ｗ２は互いに音響的に結合されており、導電的には互いに接続されていない。第１の変換器Ｗ１は、第１のゲートＴ１の第１の端子Ｔ１１と第２のゲートＴ２の第１の端子Ｔ２１との間に配置されている。第２の変換器Ｗ２は、第１のゲートＴ１の第２の端子Ｔ１２と第２のゲートＴ２の第２の端子Ｔ２２との間に配置されている。
【００４９】
図４Ｃには、変換器Ｗ１，Ｗ２が配置された音響トラックを備え表面波により動作する別のフィルタが示されている。この実施形態によれば第１の変換器Ｗ１は、第１のゲートＴ１における第１の端子Ｔ１１と第２の端子Ｔ１２との間に配置されている。第２の変換器Ｗ２は、第２のゲートＴ２における第１の端子Ｔ２１と第２の端子Ｔ２２との間に配置されている。
【００５０】
音響トラックは共振器ユニットに対応するものである。図４Ｂおよび図４Ｃによる実施形態の場合、変換器Ｗ１，Ｗ２は１つの共振器ユニットに配置されている。
【００５１】
図４Ｄには、音響表面波により動作する別のフィルタが示されている。このフィルタは、３つの変換器Ｗ１１〜Ｗ１３を備えた第１の音響トラックと、３つの変換器Ｗ２１〜Ｗ２３を備えた第２の音響トラックを有している。各音響トラックは２つの反射器によって区切られている。変換器Ｗ１１はフィルタの入力変換器である。変換器Ｗ２１はフィルタの出力変換器である。変換器Ｗ１２，Ｗ１３，Ｗ２２，Ｗ２３は、電気的信号を第１の音響トラックから第２の音響トラックへ出力結合ないしは入力結合するのための結合変換器である。
【００５２】
入力変換器Ｗ１１は、変換器Ｗ１２とＷ１３との間に配置されている。出力変換器Ｗ２１は、結合変換器Ｗ２２とＷ２３との間に配置されている。入力変換器Ｗ１１は、第１のゲートＴ１の端子Ｔ１１と端子Ｔ１２との間に配置されている。出力変換器Ｗ２１は、第２のゲートＴ２の端子Ｔ２１と端子Ｔ２２との間に配置されている。入力変換器Ｗ１１は、出力変換器Ｗ２１とは導電的に接続されていない。
【００５３】
図４Ｅには、図３Ｃによる共振器スタックＲＳとして構成されている共振器ユニットを用いたフィルタが示されている。この実施形態によれば、第１の共振器Ｒ１の下方の電極Ｅ１は第１の電気的ゲートの第２の端子Ｔ１２と接続されている。第１の共振器Ｒ１において結合層ＫＳの側の電極Ｅ２は、第１の電気的ゲートＴ１の第１の端子Ｔ１１と接続されている。第２の共振器Ｒ２において結合層ＫＳの側の電極Ｅ３は、第２の電気的ゲートＴ２の第１の端子２１と接続されている。第２の共振器Ｒ２の上方の電極Ｅ４は、第２の電気的ゲートＴ２の第２の端子Ｔ２２と接続されている。
【００５４】
図５Ａには、スイッチ素子Ｓ１，Ｓ２としてトランジスタ（ここでは電界効果トランジスタ）を用いた図４Ａによる回路が示されている。別の実施形態として、トランジスタをバイポーラトランジスタとしてもよい。第１のトランジスタのゲートには、必要に応じて第１の制御電圧Ｕ１が加えられる。第２の電界効果トランジスタのゲートには、第２の制御電圧Ｕ２が加えられる。第１および／または第２の制御電圧Ｕ１，Ｕ２を印加すると対応するスイッチ素子Ｓ１もしくはＳ２が導通状態となり、これによって第１のゲートもしくは第２のゲートＴ１，Ｔ２の対応する端子Ｔ１２，Ｔ２２がアースされる。
【００５５】
図５Ｂには、スイッチ素子Ｓ１としてダイオードＤ１を用いた図４Ａによる回路が示されている。ダイオードＤ１はたとえばＰＩＮダイオードである。
【００５６】
この例では、第２のゲートＴ２は常に平衡に動作する。
【００５７】
制御電圧Ｕ１が印加される電気的な端子とアースとの間に直流電流経路が配置されている。この直流電流経路中に以下の素子が直列に接続されている：抵抗Ｒ、インダクタンスＬ、ダイオードＤ１、インダクタンスＬ１。直流経路は、分離キャパシタＣ１により第２の信号経路ＳＰ２（高周波経路）から分離されている。
【００５８】
制御電圧Ｕ１が印加されるとダイオードＤ１が導通状態となる。第２の信号経路ＳＰを介して伝送される高周波信号は、キャパシタＣ１、導通状態にされたダイオードＤ１およびインダクタンスＬ１を介してアースへ導かれる。この場合、第１のゲートＴ１における第２の端子Ｔ１２がアースされ、これによって第２の信号経路ＳＰ２が短絡される。このケースでは、第１のゲートＴ１は不平衡状態で動作する。つまりダイオードＤ１が導通状態になると、共振器スタックＲＳはバランとして結線される。第２の電気的ゲートＴ２における第２の信号端子Ｔ２２に別のＰＩＮダイオードを備えた分岐路を接続することも可能である。
【００５９】
本発明は、上述の実施形態、特定の材料あるいはここで説明した素子の個数に限定されるものではない。また、本発明のすべての実施形態において、第１のスイッチ素子または第２のスイッチ素子を省略することができる。
【図面の簡単な説明】
【００６０】
【図１】本発明による電気回路の等価回路図
【図２】共振器ユニットを備えており、互いに音響的に結合された共振器がそれぞれ固有の信号経路に配置されている回路を示す図
【図３Ａ】梯子状（ラダー状）に配置されたフィルタと共振器ユニットを備えており、互いに音響的に結合された共振器がそれぞれ固有の電気的ゲートに接続されている回路を示す図
【図３Ｂ】並置され音響的に横方向に互いに結合された共振器を備えた共振器ユニットを示す図
【図３Ｃ】共振器スタックとして実現された共振器ユニットを示す図
【図４Ａ】図３Ｃによる共振器ユニットを用いた回路の等価回路図
【図４Ｂ】互いに音響的に結合された２つの変換器を備えＳＡＷにより動作し、これら２つの変換器が１つの共通の音響トラック内でそれぞれ固有の信号経路中に配置されている回路を示す図
【図４Ｃ】互いに音響的に結合された２つの変換器を備えＳＡＷにより動作し、これら２つの変換器が１つの共通の音響トラック内に配置されたそれぞれ固有の信号経路に接続されている回路を示す図
【図４Ｄ】２つの音響トラックを備えＳＡＷにより動作し、これら２つの音響トラックが結合変換器を介して互いに音響的に結合されている回路を示す図
【図５Ａ】スイッチ素子として電界効果トランジスタを用いた図４Ａによる回路を示す図
【図５Ｂ】ダイオードスイッチを用いた図４Ａによる回路を示す図
【図６】スイッチ素子を短絡して不平衡／不平衡状態で動作させるようにした図４Ａによる回路を示す図
【図７】短絡されたスイッチ素子と開放されたスイッチ素子により不平衡／平衡状態で動作させるようにした図４Ａによる回路を示す図
【図８】スイッチ素子を開いて平衡／平衡状態で動作させるようにした図４Ａによる回路を示す図
【符号の説明】
【００６１】
Ｆ  電気的４端子網
５１  第１のスイッチ素子
５２  第２のスイッチ素子
ＳＰ１  第１の信号経路
ＳＰ２  第２の信号経路
Ｔ１  第１のゲート
Ｔ１１  第１のゲートＴ１における第１の端子
Ｔ１２  第１のゲートＴ１における第２の端子
Ｔ２  第２のゲート
Ｔ２１  第２のゲートＴ２における第１の端子
Ｔ２２  第２のゲートＴ２における第２の端子
ＲＥ  共振器ユニット
Ｒ１  第１の共振器
Ｒ２  第２の共振器
ＫＳ  結合層
ＰＳ１  第１の圧電層
ＰＳ２  第２の圧電層
ＡＳ  音響ミラー
ＲＳ  共振器スタック
Ｅ１，Ｅ２  第１の共振器Ｒ１における電極
Ｅ３，Ｅ４  第２の共振器Ｒ２における電極
Ｗ１  第１の変換器
Ｗ２  第２の変換器
Ｗ１１  入力変換器
Ｗ２１  出力変換器
Ｗ１２，Ｗ１３，Ｗ２２，Ｗ２３  結合変換器
ＴＳ  支持基板
Ｒ  抵抗
Ｌ，Ｌ１  インダクタンス
Ｄ１  ダイオード
Ｃ１  キャパシタ
Ｕ１，Ｕ２  スイッチ素子Ｓ１，Ｓ２を制御するための制御電圧
【図１】
2008508823.tif 000003
【図２】
2008508823.tif 000004
【図３Ａ】
2008508823.tif 000005
【図３Ｂ】
2008508823.tif 000006
【図３Ｃ】
2008508823.tif 000007
【図４Ａ】
2008508823.tif 000008
【図４Ｂ】
2008508823.tif 000009
【図４Ｃ】
2008508823.tif 000010
【図４Ｄ】
2008508823.tif 000011
【図４Ｅ】
2008508823.tif 000012
【図５Ａ】
2008508823.tif 000013
【図５Ｂ】
2008508823.tif 000014
【図６】
2008508823.tif 000015
【図７】
2008508823.tif 000016
【図８】
2008508823.tif 000017
【国際調査報告】
2008508823.tif 000018
2008508823.tif 000019
2008508823.tif 000020
2008508823.tif 000021
2008508823.tif 000022
2008508823.tif 000023